(57)【要約】【課題】絞り貼付タイプの絞り機構を有している撮像装置において、表示絞り値が急激に変化する個所がないようにし、且つ絞り機構を通過してゆく光量に関する情報をより正確に表現する。【解決手段】  ＮＤフィルタ２１２が絞り機構１２０に貼付され、且つ絞り開放であったときに、ＮＤフィルタ２１２が絞りの開口径を覆い、ＮＤフィルタ２１２により光量が削られてしまうタイプの撮像装置において、絞り開放であれば、ズーム位置を考慮したレンズの明るさと絞り径により決定されるＦＮｏを表示または記録し、絞り開放でなければ、絞り開放でのＦＮｏと絞り開放でのＮＤフィルタ２１２により減衰する光量分を考慮に入れた絞り値（ＴＮｏ）の光量としての差分値を、現在のＴＮｏから光量として差し引いた値を表示または記録する。【選択図】  図１
2007033684.tif 000002
【特許請求の範囲】
【請求項１】
光学系と、
前記光学系から入射した光を電気信号に変換する撮像素子と、
前記撮像素子に入力する光量を変化させる絞り機構と、
前記絞り機構の位置を検出する絞り位置検出機構と、
被写体像を拡大するためのズーム機構と、
前記ズーム機構のズーム位置を検出するズーム位置検出機構と、
前記撮像素子に入力する光量を減衰させるフィルタと、
前記絞り機構の絞り位置に対応して絞り値の換算値を算出する換算値算出手段と
を含み、
前記フィルタは、前記絞り機構と同時に同方向に同移動量だけ動作するものであり、前記絞り位置検出機構により検出された絞り位置が開放の位置であったときに、前記絞り機構の開口径の一部と重畳するように配設されており、
前記換算値算出手段は、前記絞り位置が開放である場合には、前記ズーム位置に応じた前記光学系の開放状態のＦ値を前記換算値とし、前記絞り位置が開放でない場合には、前記フィルタにより減衰する光量分を考慮した現在の絞り値から所定値を減算して前記換算値を算出することを特徴とする撮像装置。
【請求項２】
前記換算値算出手段は、前記絞り位置が開放でない場合には、前記フィルタにより減衰する光量分を考慮した現在の絞り値から、前記フィルタにより減衰する光量分を考慮してなる前記ズーム位置に応じた前記光学系の開放状態の絞り値と、前記ズーム位置に応じた前記光学系の開放状態のＦ値との差分値を減算して前記換算値を算出することを特徴とする請求項１に記載の撮像装置。
【請求項３】
前記換算値算出手段により算出された前記換算値を表示する換算値表示手段を更に含むことを特徴とする請求項１又は２に記載の撮像装置。
【請求項４】
前記換算値算出手段により算出された前記換算値を記録する換算値記録手段を更に含むことを特徴とする請求項１〜３のいずれか１項に記載の撮像装置。
【請求項５】
光学系と、
前記光学系から入射した光を電気信号に変換する撮像素子と、
前記撮像素子に入力する光量を変化させる絞り機構と、
前記絞り機構の位置を検出する絞り位置検出機構と、
被写体像を拡大するためのズーム機構と、
前記ズーム機構のズーム位置を検出するズーム位置検出機構と、
前記撮像素子に入力する光量を減衰させるフィルタと
を含む撮像装置の制御方法であって、
前記フィルタは、前記絞り機構と同時に同方向に同移動量だけ動作するものであり、前記絞り位置検出機構により検出された絞り位置が開放の位置であったときに、前記絞り機構の開口径の一部と重畳するように配設されており、
前記絞り位置が開放である場合には、前記ズーム位置に応じた前記光学系の開放状態のＦ値を前記換算値とし、
前記絞り位置が開放でない場合には、前記フィルタにより減衰する光量分を考慮した現在の絞り値から所定値を減算して前記換算値を算出することを特徴とする撮像装置の制御方法。
【請求項６】
前記絞り位置が開放でない場合には、前記フィルタにより減衰する光量分を考慮した現在の絞り値から、前記フィルタにより減衰する光量分を考慮してなる前記ズーム位置に応じた前記光学系の開放状態の絞り値と、前記ズーム位置に応じた前記光学系の開放状態のＦ値との差分値を減算して前記換算値を算出することを特徴とする請求項５に記載の撮像装置の制御方法。
【請求項７】
コンピュータに、請求項５又は６に記載の撮像装置の制御方法を実行させるためのプログラム。
【請求項８】
コンピュータに、請求項５又は６に記載の撮像装置の制御方法を実行させるためのプログラムを記録したコンピュータ読み取り可能な記録媒体。
【発明の詳細な説明】
【技術分野】
【０００１】
本発明は、ビデオカメラ等の撮像装置及びその制御方法に関し、光学系の絞り機構に、撮像素子に入力する光量を減衰させるＮＤフィルタが貼付されている撮像装置を対象とする。
【背景技術】
【０００２】
ビデオカメラの明るさ制御において、高輝度被写体にも対応できるように絞りを絞ってゆく制御を行っているが、絞りすぎて小さな開口径なった場合、いわゆる小絞り光学回折が発生して画面全体がピンぼけしたような画像となってしまい、画質が著しく劣化する。これに対処するため、絞りとは別にいわゆるＮＤフィルタを利用することにより、より多くの光を制限することが出来るようになる。このＮＤフィルタの制御を、絞り制御とは異なった駆動回路にて制御を行う方式（ＮＤ別駆動方式）とは別に、ビデオカメラの小型化に有利なＮＤフィルタを絞りの羽根に貼付して、絞り羽根と同時に同方向に動かす方式がある（例えば、特許文献１参照）。これは、高輝度被写体でも小絞りによる回折を起こさず、かつ小型化を実現できる方式である。
【０００３】
このＮＤフィルタ貼付けタイプの絞り機構を備えた撮像装置において、開口径とＮＤフィルタの位置との関係を図５に示す。
図中の（１）は絞りが開放で、ＮＤフィルタは開口径を遮らない位置にある。（２）〜（５）は絞りが絞られるに従い、ＮＤフィルタが絞りの開口径を遮る率が大きくなっていく様子を示しており、（５）では完全に絞りの開口径をＮＤフィルタが遮っている。また図中のＦ＊＊とＴ＊＊の表示はそれぞれ、レンズの明るさ（開放Ｆ値）と絞りの開口径とで決まる明るさ（以降ＦＮｏと称す）と、レンズの明るさ（開放Ｆ値）、絞りの開口径及びＮＤフィルタにより減衰する光量が考慮された明るさ（以降ＴＮｏと称す）を示しており、ＦＮｏ値が大きくなる以上に、ＮＤフィルタによる光の減衰を考慮したＴＮｏ値が大きくなっていくことが分かり、この絞りを通過する光はＦＮｏで決定されるわけではなく、ＴＮｏで決定されることを示している。また（１）ａはズームレンズ位置がＴＥＬＥ端にあるときのＦＮｏとＴＮｏを示してある。
【０００４】
ビデオカメラの明るさ制御は、動画撮影を行うのであるから滑らかな輝度変化でなければならない。前述したようなＮＤフィルタ貼付けタイプの絞り制御を行うとき、ＦＮｏを制御指標として動作させると、ＮＤフィルタの光量変化分が考慮されていないために、図６のようにＦＮｏに対する明るさ変化が一定でなく滑らかな輝度変化を起こさせる制御は難しくなってしまう。そこで用いられているのは、ＮＤフィルタによる光の減衰を考慮したＴＮｏを制御指標として動作させる方法であり、図７のようにＴＮｏに対する明るさの変化が一定となり、輝度変化の滑らかな制御が容易となる。
【０００５】
ここで、前述したＴＮｏを制御指標として制御させる場合の従来の制御方法について以下で説明する。
従来の撮像装置の構成、動作について図８を用いて以下に説明する。
この撮像装置において、１００は被写体の結像用レンズ、１１０は被写体像を拡大撮影するためのズームレンズ、１２０は入射光量を制御する絞り機構、１２１は絞り機構１２０を駆動する絞り駆動モータ、１２２は絞り駆動モータ１２１を駆動する絞り機構駆動装置、１２３は絞り機構１２０の状態を検出する絞り位置検出装置、１１１はズームレンズ１１０を駆動するズームレンズ駆動モータ、１１２はズームレンズ駆動モータ１１１を駆動するズームレンズ機構駆動装置、１１４は使用者が被写体像を拡大撮影するときに操作するズームスイッチ、１１３はズームスイッチ１１４からの信号を受信しズームレンズ駆動装置に移動量や移動スピードなどの命令を送信するズーム制御手段である。
【０００６】
１３０は入射した光を光電変換するＣＣＤ、１３１はＣＣＤ１３０を制御し光電変換された信号を読み出すとともに、信号の蓄積時間を制御するいわゆる電子シャッタ機能を制御するＣＣＤ駆動装置、１４０はＣＣＤ１３０で光電変換された信号をサンプリングするＣＤＳ、１５０はＣＤＳ１４０でサンプリングされた信号を電気的に増幅するＡＧＣ、１６０はＡＧＣ１５０の出力であるアナログ信号をディジタル信号に変換するアナログ−ディジタル変換器（以下、Ａ／Ｄと称する）、１７０はガンマ補正後、色分離、色差マトリクス等の処理を施した後に同期信号を加え、標準テレビジョン信号を生成したりする制御機能を有したカメラ信号処理装置（以下、ＤＳＰと称する）である。
【０００７】
１８０はＤＳＰ１７０で処理された画像を記憶しておくメモリ、２１０ａはＤＳＰ１７０やＣＣＤ駆動装置１３１や絞り機構駆動装置１２２に処理命令を出すマイクロコンピュータ、１３３はカメラ信号処理１７０にて算出された被写体の輝度信号を用いて現在の露出評価値を算出する測光手段、１３２は測光手段１３３にて算出された露出評価値に基づき、その露出評価値が目標値になるまで絞り機構駆動装置１２２やＣＣＤ駆動装置１３１やＡＧＣ１５０に動作命令を出す露出制御手段である。
【０００８】
１１５ａは露出制御手段１３２にて制御されている絞りの状態と、ズーム制御手段１１３にて制御されているズームレンズのズーム倍率に基づく使用者確認用の現在の絞り値とを算出する表示用絞り値算出手段、１９０は表示用絞り値算出手段より出力された絞り値表示をカメラ信号処理１７０より出力された映像にミックスする表示文字ミックス手段、２００は表示文字ミックス手段１９０から出力される被写体を表示するモニタである。
【０００９】
あらかじめ露出制御手段１３２中に、下記の表１のようなＴＮｏと絞り位置検出装置１２３の出力値（以後絞り位置と称す）の変換テーブルを持たせておく。表１は、絞りが開放のときにＮＤフィルタが光を遮らないＮＤフィルタ貼付けタイプの絞りのＴＮｏに対する絞り位置対応表である。これは、前述したようにＴＮｏ変化に対する明るさの変化が一定であるため、ＴＮｏに対する絞り位置検出装置１２３の出力値があれば、輝度変化の滑らかな制御が容易となるからである。
【００１０】
【表１】
2007033684.tif 000003
【００１１】
カメラ信号処理１７０からの輝度信号により測光手段１３３が露出評価値を算出し、その露出評価値に基づき露出制御手段１３２は、それが露出目標値になるように、絞り機構駆動装置１２２やＣＣＤ駆動装置１３１やＡＧＣ１５０に命令を出し、それぞれ絞り、電子シャッタ、ＡＧＣを変化させる。
【００１２】
測光手段１３３から出力される露出評価値が露出目標値よりも上回っていれば、表１の絞り位置の絞りを絞る方向のデータ（値が小さくなる方向）を用い、露出目標値よりも下回っていれば、絞り位置の絞りを開ける方向のデータ（値が大きくなる方向）を用い、絞り機構駆動装置に信号を送り、絞りを所望の方向に動作させている。この動作をさせた結果、ＣＣＤ１３０に入射された光が、ＣＤＳ１４０、ＡＧＣ１５０、Ａ／Ｄ１６０、カメラ信号処理１７０で電気的に処理され、カメラ信号処理１７０から出力された輝度信号に基づき測光手段１３３は露出評価値を算出し、再び露出評価値と露出目標値を比較し、上記動作を繰り返し行い、露出評価値が露出目標値になるように動作させる。ここで、露出評価値と露出目標値との差が大きくなればなるほど１度に動かす絞りの移動量は大きくなり、差が小さくなればなるほど１度に動作させる絞りの移動量は小さくなる。
【００１３】
このように、絞りを動作させた結果、絞り位置現検出機構１２３の出力を露出制御手段が受け、表１から現在位置を検索し、表示用絞り値算出手段１１５ａに現在の絞り位置を送り、それと同時に、ズーム制御手段１１３からは現在のズームレンズ位置が表示用絞り値算出手段１１５ａに送られる。これらのデータを用いて、表示用絞り値算出手段はモニタ表示用の絞り値を算出するわけであるが、その算出方法を以下に示す。
【００１４】
まず、露出制御手段から送られてきた現在の絞り位置が絞り開放を示していたら、ズーム制御手段１１３から送られてくる現在のズームレンズ位置に応じ、下記の表２から現在の絞り値であるＴＮｏ（ＮＤが光路上に無いのでＦＮｏとも言える）を採用し、それを表示文字ミックス手段１９０に出力し、映像に絞り値をミックスしモニタ上に表示させる。表２は、絞りが開放のときにＮＤフィルタが光を遮らないＮＤフィルタ貼付けタイプの絞りのズームレンズ位置に対するＴＮｏ（ＦＮｏ）対応表である。また、露出制御手段から送られてきた現在の絞り位置が絞り開放以外を示していたら、表１を用い、現在の絞り位置から絞り値であるＴＮｏを採用し、それを表示文字ミックス手段１９０に出力し、映像に絞り値をミックスしてモニタ上に表示させる。
【００１５】
【表２】
2007033684.tif 000004
【００１６】
これら一連の動作を模式的に表した様子を図９に示す。この図中の上部にある曲線は、ズームレンズ位置に対する、絞り開放時のＴＮｏ変化を表したものである。この曲線がＦＮｏでもあることから、各ズームレンズ位置から絞ったとき、ＴＮｏに対する表示絞り値を同じとすることができる。このように、絞りが開放のときにＮＤフィルタが光を遮らないＮＤフィルタ貼付けタイプ絞りの場合は、絞りが開放であればズームレンズの位置がどこにあってもＦＮｏとＴＮｏが同じであるため、表２のようなズームレンズ位置に対するＴＮｏ（ＦＮｏ）の対応表があれば、ズームレンズ位置から表示用絞り値を読み出すことができる。また、各ズームレンズ位置において絞りが絞っていった場合には、表１のような１つのＴＮｏに対する絞り位置の対応表があれば、現在の絞り位置から表示用絞り値を読み出すことができ、その後の変換計算などしなくても絞り値を算出することが可能である。
【００１７】
【特許文献１】特開２００３−１２１９００号公報
【発明の開示】
【発明が解決しようとする課題】
【００１８】
最近のビデオカメラは更なる小型化が進み、レンズの構造なども小型化が進められている。従来例で示した図５のような、絞りが開放のときにＮＤフィルタが光を遮らない、いわゆる絞り貼付タイプの絞りは、開放時にＮＤが光路上から退避している分だけメカ構造的なスペースが必要となる。したがって、小型化を進める中でＮＤフィルタの退避部分をより小さくする構造が求められるようになってきている。
【００１９】
その構造と動作時の絞りとＮＤ位置関係の一例を図１０に示す。
図中の（１）は絞りが開放で、ＮＤフィルタが開口径を遮る位置にあり、光路上にないＮＤフィルタ部分の大きさは、図４のそれと比較して小さくなっている。（２）〜（５）は絞りが絞られるに従い、ＮＤフィルタが絞りの開口径を遮る率が大きくなっていく様子を示しており、（５）では完全に絞りの開口径をＮＤフィルタが遮っている。また図中のＦ＊＊とＴ＊＊の表示はそれぞれ、ＦＮｏとＴＮｏを示しており、ＦＮｏ値が大きくなる以上に、ＮＤフィルタによる光の減衰を考慮したＴＮｏ値が大きくなってゆくことが分かり、この絞りを通過する光はＦＮｏで決定されるわけではなく、ＴＮｏで決定されることを示している。また（１）ａはズームレンズ位置がＴＥＬＥ端にあるときのＦＮｏとＴＮｏを示している。（１）と（１）ａのＦＮｏとＴＮｏはそれぞれＦ１．８・Ｔ２．０（（１））とＦ２．８・Ｔ４．０（（１）ａ）とそれぞれ、ズームレンズ位置に対して異なっていることを示している。
【００２０】
しかしながら、このような構造を持った絞り機構の絞り値を算出するには、前述してきたような絞りが開放のときにＮＤフィルタが光を遮らないＮＤフィルタ貼付けタイプ絞りの場合のように、ズームレンズ位置に対するＴＮｏの対応表（下記の表３）を用いて現在の絞り値を導き出したとすると、以下のような問題が発生する。ここで、表３は、絞りが開放のときにＮＤフィルタが光を遮るＮＤフィルタ貼付けタイプの絞りのズームレンズ位置に対するＴＮｏ対応表である。即ち、ズームレンズ位置がＷＩＤＥ端である場合、絞りの開放状態を示しているＦＮｏの１．８が表示されず、ＴＮｏである２．０が表示されてしまい、同様に、ズームレンズ位置がＴＥＬＥ端であるとき絞りの開放状態を示しているＦＮｏの２．８が表示されず、ＴＮｏである４．０が表示されてしまい、使用者に開放状態ではないと思わせる可能性がある。
【００２１】
【表３】
2007033684.tif 000005
【００２２】
また、その対策として、表２のようなズームレンズ位置に対するＦＮｏの対応表を用いることにより、絞りが開放しているときにＦＮｏを表示し、使用者に正確な開放ＦＮｏを示したとしても、そのズーム位置から絞りが絞ったときに、ＴＮｏに対する絞り位置の対応表（下記の表４）を用いると、表示絞り値が急激に変化する個所が出てしまい、絞り機構を通過していく光量に関しての情報が誤ったものとなる。ここで、表４は、絞りが開放のときにＮＤフィルタが光を遮るＮＤフィルタ貼付けタイプの絞りのＴＮｏに対する絞り位置対応表である。
【００２３】
【表４】
2007033684.tif 000006
【００２４】
そこで、本発明は、絞りが開放のときにＮＤフィルタが光を遮る（絞りが開放のときにＮＤフィルタが絞り機構の開口径の一部と重畳する）、いわゆる絞り貼付タイプの絞り機構を有している撮像装置において、表示絞り値が急激に変化する個所がないようにし、且つ絞り機構を通過してゆく光量に関する情報がより正確に表現することができ、使用者が違和感無く絞り値を参照することを可能とする撮像装置及びその制御方法を提供することを目的とする。
【課題を解決するための手段】
【００２５】
本発明の撮像装置は、光学系と、前記光学系から入射した光を電気信号に変換する撮像素子と、前記撮像素子に入力する光量を変化させる絞り機構と、前記絞り機構の位置を検出する絞り位置検出機構と、被写体像を拡大するためのズーム機構と、前記ズーム機構のズーム位置を検出するズーム位置検出機構と、前記撮像素子に入力する光量を減衰させるフィルタと、前記絞り機構の絞り位置に対応して絞り値の換算値を算出する換算値算出手段とを含み、前記フィルタは、前記絞り機構と同時に同方向に同移動量だけ動作するものであり、前記絞り位置検出機構により検出された絞り位置が開放の位置であったときに、前記絞り機構の開口径の一部と重畳するように配設されており、前記換算値算出手段は、前記絞り位置が開放である場合には、前記ズーム位置に応じた前記光学系の開放状態のＦ値を前記換算値とし、前記絞り位置が開放でない場合には、前記フィルタにより減衰する光量分を考慮した現在の絞り値から所定値を減算して前記換算値を算出する。
【００２６】
本発明の撮像装置の一態様では、前記換算値算出手段は、前記絞り位置が開放でない場合には、前記フィルタにより減衰する光量分を考慮した現在の絞り値から、前記フィルタにより減衰する光量分を考慮してなる前記ズーム位置に応じた前記光学系の開放状態の絞り値と、前記ズーム位置に応じた前記光学系の開放状態のＦ値との差分値を減算して前記換算値を算出する。
【００２７】
本発明の撮像装置の制御方法は、光学系と、前記光学系から入射した光を電気信号に変換する撮像素子と、前記撮像素子に入力する光量を変化させる絞り機構と、前記絞り機構の位置を検出する絞り位置検出機構と、被写体像を拡大するためのズーム機構と、前記ズーム機構のズーム位置を検出するズーム位置検出機構と、前記撮像素子に入力する光量を減衰させるフィルタとを含む撮像装置の制御方法であって、前記フィルタは、前記絞り機構と同時に同方向に同移動量だけ動作するものであり、前記絞り位置検出機構により検出された絞り位置が開放の位置であったときに、前記絞り機構の開口径の一部と重畳するように配設されており、前記絞り位置が開放である場合には、前記ズーム位置に応じた前記光学系の開放状態のＦ値を前記換算値とし、前記絞り位置が開放でない場合には、前記フィルタにより減衰する光量分を考慮した現在の絞り値から所定値を減算して前記換算値を算出する。
【００２８】
本発明の撮像装置の制御方法の一態様では、前記絞り位置が開放でない場合には、前記フィルタにより減衰する光量分を考慮した現在の絞り値から、前記フィルタにより減衰する光量分を考慮してなる前記ズーム位置に応じた前記光学系の開放状態の絞り値と、前記ズーム位置に応じた前記光学系の開放状態のＦ値との差分値を減算して前記換算値を算出する。
【発明の効果】
【００２９】
本発明の撮像装置及びその制御方法によれば、絞りが開放のときにＮＤフィルタが光を遮る（絞り開放のときにＮＤフィルタが絞り機構の開口径の一部と重畳する）、いわゆる絞り貼付タイプの絞り機構を有している撮像装置において、表示絞り値が急激に変化する個所がないようにし、且つ絞り機構を通過してゆく光量に関する情報をより正確に表現することができ、使用者が違和感無く絞り値を参照することが可能となる。
【発明を実施するための最良の形態】
【００３０】
図１は、本実施形態による撮像装置の構成を示すブロック図である。本実施形態では、図１０に示すＮＤフィルタ貼付けタイプの絞り機構を備えた撮像装置を開示する。
この撮像装置において、１００は被写体の結像用レンズ、１１０は被写体像を拡大撮影するためのズームレンズ、１２０は入射光量を制御する絞り機構、１２１は絞り機構１２０を駆動する絞り駆動モータ、１２２は絞り駆動モータ１２１を駆動する絞り機構駆動装置、１２３は絞り機構１２０の状態を検出する絞り位置検出装置、１１１はズームレンズ１１０を駆動するズームレンズ駆動モータ、１１２はズームレンズ駆動モータ１１１を駆動するズームレンズ機構駆動装置、１１４は使用者が被写体像を拡大撮影するときに操作するズームスイッチ、１１３はズームスイッチ１１４からの信号を受信しズームレンズ駆動装置に移動量や移動スピードなどの命令を送信するズーム制御手段である。
【００３１】
２１２は、撮像装置の小型化を進める中で退避部分をより小さくする構造とされたＮＤフィルタであって、絞り機構１２０と同時に同方向に同移動量だけ動作するものであり、絞り位置検出装置１２３により検出された絞り位置が開放の位置であったときに、絞り機構１２０の開口径の一部と重畳するように配設されているＮＤフィルタである。
【００３２】
１３０は入射した光を光電変換するＣＣＤ、１３１はＣＣＤ１３０を制御し光電変換された信号を読み出すとともに、信号の蓄積時間を制御するいわゆる電子シャッタ機能を制御するＣＣＤ駆動装置、１４０はＣＣＤ１３０で光電変換された信号をサンプリングするＣＤＳ、１５０はＣＤＳ１４０でサンプリングされた信号を電気的に増幅するＡＧＣ、１６０はＡＧＣ１５０の出力であるアナログ信号をディジタル信号に変換するアナログ−ディジタル変換器（以下、Ａ／Ｄと称する）、１７０はガンマ補正後、色分離、色差マトリクス等の処理を施した後に同期信号を加え、標準テレビジョン信号を生成したりする制御機能を有したカメラ信号処理装置（以下、ＤＳＰと称する）である。
【００３３】
１８０はＤＳＰ１７０で処理された画像を記録しておくメモリ、２１０ｂはＤＳＰ１７０やＣＣＤ駆動装置１３１や絞り機構駆動装置１２２に処理命令を出すマイクロコンピュータであり、表示用絞り算出手段１１５ｂを有している。１３３はカメラ信号処理１７０にて算出された被写体の輝度信号を用いて現在の露出評価値を算出する測光手段、１３２は測光手段１３３にて算出された露出評価値に基づき、その露出評価値が目標値になるまで絞り機構駆動装置１２２やＣＣＤ駆動装置１３１やＡＧＣ１５０に動作命令を出す露出制御手段である。
【００３４】
１１５ｂは、表２及び表３に示す変換テーブルを有しており、露出制御手段１３２から送られてくる現在の絞りの位置と、ズーム制御手段１１３から送られてくる現在のズームレンズ位置とを用い、所定の場合に以下の計算式（数１）に従って表示用の絞り値である換算値を算出する表示用絞り値算出手段である
【００３５】
換算値＝現在ＴＮｏ−（開放ＴＮｏ−開放ＦＮｏ）・・・（数１）
【００３６】
１９０は、表示用絞り値算出手段より出力された絞り値表示をカメラ信号処理１７０より出力された映像にミックスする表示文字ミックス手段、２１１は表示用絞り値算出手段１１５ｂにより算出された換算値を記録しておき、随時表示文字ミックス手段１９０に表示可能とされたメモリ、２００は表示文字ミックス手段１９０から出力される被写体を表示するモニタである。
【００３７】
カメラ信号処理１７０からの輝度信号により測光手段１３３が露出評価値を算出し、その露出評価値に基づき露出制御手段１３２は、それが露出目標値になるように、絞り機構駆動装置１２２やＣＣＤ駆動装置１３１やＡＧＣ１５０に命令を出し、それぞれ絞り、電子シャッタ、ＡＧＣを変化させる。このとき絞りの制御は、従来例でも述べたように、あらかじめ露出制御手段１３２中に、表４に示すＴＮｏと絞り位置検出装置１２３の出力値と（以後絞り位置と称す）の変換テーブルを持たせておき、これを用いて絞りの制御を滑らかに行う。
【００３８】
測光手段１３３から出力される露出評価値が露出目標値よりも上回っていれば、表４の絞り位置の絞りを絞る方向のデータ（値が小さくなる方向）を用い、露出目標値よりも下回っていれば、絞り位置の絞りを開ける方向のデータ（値が大きくなる方向）を用い、絞り機構駆動装置に信号を送り絞りを所望の方向に動作させる。この動作をさせた結果、ＣＣＤ１３０に入射された光が、ＣＤＳ１４０、ＡＧＣ１５０、Ａ／Ｄ１６０、カメラ信号処理１７０で電気的に処理され、カメラ信号処理１７０から出力された輝度信号に基づき測光手段１３３は露出評価値を算出し、再び露出評価値と露出目標値を比較し、上記動作を繰り返し行い、露出評価値が露出目標値になるように動作させる。
【００３９】
ここで、露出評価値と露出目標値との差が大きくなればなるほど１度に動かす絞りの移動量は大きくなり、差が小さくなればなるほど１度に動作させる絞りの移動量は小さくなる。
【００４０】
このように、絞り機構１２０を動作させた結果、絞り位置検出機構１２３の出力を露出制御手段１３２が受ける。露出制御手段１３２は、表４から現在の絞り位置を検索し、表示用絞り値算出手段１１５ｂに現在の絞り位置を送り、それと同時に、ズーム制御手段１１３は現在のズームレンズ位置を表示用絞り値算出手段１１５ｂに送る。これらのデータと数１を用いて、表示用絞り値算出手段１１５ｂはモニタ表示用の絞り値を算出するわけであるが、その算出方法を以下に示す。
【００４１】
まず、表示用絞り値算出手段１１５ｂは、露出制御手段１３２から送られてきた現在の絞り位置が絞り開放を示している場合には、ズーム制御手段１１３から送られてきた現在のズームレンズ位置に応じ、表２から現在の絞り値であるＦＮｏを採用して換算値とし、この換算値を表示文字ミックス手段１９０に出力し、映像に絞り値をミックスしてモニタ上に表示させる。または、表示用絞り値算出手段１１５ｂは、この換算値をメモリ２１１に記録しておき、適宜表示文字ミックス手段１９０に出力し、映像に絞り値をミックスしてモニタ上に表示させる。
【００４２】
一方、露出制御手段１３２から送られてきた現在の絞り位置が絞り開放以外を示している場合には、表示用絞り値算出手段１１５ｂは、露出制御手段１３２から出力される現在の絞り位置、即ち露出制御手段１３２において表４により導出された現在Ｔｎｏと、ズーム制御手段１１３から送られてくるズームレンズ位置を用いて表３により導出された開放ＴＮｏと、当該ズームレンズ位置を用いて表２により導出された開放ＦＮｏとを用いて、上記の数１に従って現在の絞り値の換算値を算出する。この換算値を表示文字ミックス手段１９０に出力し、映像に絞り値をミックスしてモニタ上に表示させる。または、表示用絞り値算出手段１１５ｂは、この換算値をメモリ２１１に記録しておき、適宜表示文字ミックス手段１９０に出力し、映像に絞り値をミックスしてモニタ上に表示させる。
【００４３】
これら一連の動作を図２に模式的に表す。
図２中の上部にある曲線は、ズームレンズ位置に対する、絞り開放時のＴＮｏの変化を表したものである。この曲線がＦＮｏとは異なっており、開放時はＦＮｏを表示用絞り値として表示させているため、仮に上記で従来技術として示したように、各ズームレンズ位置から絞ったとき、表４を用いてＴＮｏに対する表示絞り値を導出して表示させると、ＴＥＬＥ端では開放表示である２．８の次の表示は１／４段刻みで表示しているとすれば、開放ＴＮｏが既に４．０であるため４．４となり、急激に絞り値が変化してしまう。しかし、ここで変換式（数１）を用いると、現在ＴＮｏが４．４であれば、
変換値＝Ｔ４．４−（Ｔ４．０−Ｆ２．８）
＝Ｔ４．４−（１段）
＝Ｔ３．２
となる。この変換値を用いることにより、従来技術で用いた手法による値と比較して、開放ＦＮｏとの連関を保った絞り値表示となり、明るさ変化に対してより正確な表示を行うことができ、且つ使用者が違和感無く絞り値を参照することが可能となる。
【００４４】
次に、図３のフロー図を参照して本実施形態による撮像装置の制御方法を説明する。
まず、ステップＳ１において、露出制御手段１３２は、絞り位置検出装置１２３の出力結果に基づき、絞り機構１２０が動作したかを判断する。その結果、動作したと判断されたときにはステップＳ２に進む。一方、動作していないと判断されたときには、ステップＳ１の判定を繰り返す。
【００４５】
ステップＳ２において、露出制御手段１３２は、絞り位置検出装置１２３の出力結果に基づき、絞り機構１２０の状態が開放であるか否かを判断する。その結果、開放であると判断されたときにはステップＳ３に進み、開放以外であると判断されたときにはステップＳ４に進む。
【００４６】
絞り機構１２０の状態が開放であると判断されたときには、ステップＳ３において、表示用絞り値算出手段１１５ｂは、ズーム制御手段１１３から送られてきた現在のズームレンズ位置に応じ、表２から現在の絞り値であるＦＮｏを採用して換算値とし、この換算値を表示文字ミックス手段１９０に出力してモニタに表示させて（或いはメモリ２１１に記録して）処理を終了させる。
【００４７】
一方、絞り機構１２０の状態が開放以外であると判断されたときには、ステップＳ４において、表示用絞り値算出手段１１５ｂは、ズーム制御手段１１３から送られてくるズームレンズ位置を用いて、開放ＦＮｏ（Ａ）を表２から導出し、ステップ５に進む。
【００４８】
続いて、ステップ５において、表示用絞り値算出手段１１５ｂは、ズーム制御手段１１３から送られてくるズームレンズ位置を用いて、開放ＴＮｏ（Ｂ）を表３から導出し、ステップ６に進む。
【００４９】
続いて、ステップ６において、表示用絞り値算出手段１１５ｂは、露出制御手段１３２から出力された現在の絞り位置、即ち露出制御手段１３２において表４により導出された現在Ｔｎｏ（Ｃ）の出力値を受け、ステップ７に進む。
【００５０】
続いて、ステップ７において、表示用絞り値算出手段１１５ｂは、数１の計算式に従って、（Ｃ−（Ｂ−Ａ））の計算を行い、得られた換算値を表示文字ミックス手段１９０に出力してモニタに表示させて（或いはメモリ２１１に記録して）処理を終了させる。
【００５１】
なお、図３のフロー図におけるプログラムコードは、コンピュータのＲＡＭやＲＯＭなどに記憶されたプログラムが動作することによって実現できる。このプログラム及び当該プログラムを記録したコンピュータ読み取り可能な記憶媒体は本発明の実施形態に含まれる。
【００５２】
具体的に、前記プログラムは、例えばＣＤ−ＲＯＭのような記録媒体に記録し、或いは各種伝送媒体を介し、コンピュータに提供される。前記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、上記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００５３】
また、コンピュータが供給されたプログラムを実行することにより上述の実施形態の機能が実現されるだけでなく、そのプログラムがコンピュータにおいて稼働しているＯＳ（オペレーティングシステム）あるいは他のアプリケーションソフト等と共同して上述の実施形態の機能が実現される場合や、供給されたプログラムの処理の全てあるいは一部がコンピュータの機能拡張ボードや機能拡張ユニットにより行われて上述の実施形態の機能が実現される場合も、かかるプログラムは本発明の実施形態に含まれる。
【００５４】
例えば、図４は、パーソナルユーザ端末装置の内部構成を示す模式図である。この図４において、１２００はコンピュータＰＣである。ＰＣ１２００は、ＣＰＵ１２０１を備え、ＲＯＭ１２０２またはハードディスク（ＨＤ）１２１１に記憶された、あるいはフレキシブルディスクドライブ（ＦＤ）１２１２より供給されるデバイス制御ソフトウェアを実行し、システムバス１２０４に接続される各デバイスを総括的に制御する。
【００５５】
ＰＣ１２００のＣＰＵ１２０１、ＲＯＭ１２０２またはハードディスク（ＨＤ）１２１１に記憶されたプログラムにより、本実施形態の図３におけるステップ１〜７の手順等が実現される。
【００５６】
１２０３はＲＡＭで、ＣＰＵ１２０１の主メモリ、ワークエリア等として機能する。１２０５はキーボードコントローラ（ＫＢＣ）で、キーボード（ＫＢ）１２０９や不図示のデバイス等からの指示入力を制御する。
【００５７】
１２０６はＣＲＴコントローラ（ＣＲＴＣ）で、ＣＲＴディスプレイ（ＣＲＴ）１２１０の表示を制御する。１２０７はディスクコントローラ（ＤＫＣ）で、ブートプログラム（起動プログラム：パソコンのハードやソフトの実行（動作）を開始するプログラム）、複数のアプリケーション、編集ファイル、ユーザファイルそしてネットワーク管理プログラム等を記憶するハードディスク（ＨＤ）１２１１、及びフレキシブルディスク（ＦＤ）１２１２とのアクセスを制御する。
【００５８】
１２０８はネットワークインタフエースカード（ＮＩＣ）で、ＬＡＮ１２２０を介して、ネットワークプリンタ、他のネットワーク機器、あるいは他のＰＣと双方向のデータのやり取りを行う。
【００５９】
以上説明したように、本実施形態によれば、絞りが開放のときにＮＤフィルタ２１２が光を遮る（絞り開放のときにＮＤフィルタ２１２が絞り機構１２０の開口径の一部と重畳する）、いわゆる絞り貼付タイプの絞り機構１２０を有している撮像装置において、表示絞り値が急激に変化する個所がないようにし、且つ絞り機構１２０を通過してゆく光量に関する情報をより正確に表現することができ、使用者が違和感無く絞り値を参照することが可能となる。
【図面の簡単な説明】
【００６０】
【図１】本実施形態による撮像装置の構成を示すブロック図である。
【図２】本実施形態による撮像装置において、ＴＮｏに対するズームレンズ位置と絞り表示を説明する特性図である。
【図３】本実施形態による撮像装置の制御方法を説明するフロー図である。
【図４】パーソナルユーザ端末装置の内部構成を示す模式図である。
【図５】ＮＤフィルタ貼付けタイプの絞り機構を備えた撮像装置において、開口径とＮＤフィルタの位置との関係を示す模式図である。
【図６】ＮＤフィルタの光量変化分が考慮されていない場合において、ＦＮｏとｌｏｇ（Ｔｎｏ）との関係を示す特性図である。
【図７】ＮＤフィルタの光量変化分が考慮されている場合において、ＦＮｏとｌｏｇ（Ｔｎｏ）との関係を示す特性図である。
【図８】従来の撮像装置の構成を示すブロック図である。
【図９】従来の撮像装置において、ＴＮｏに対するズームレンズ位置と絞り表示を説明する特性図である。
【図１０】ＮＤフィルタ貼付けタイプの絞り機構を備えた撮像装置において、開口径とＮＤフィルタの位置との関係を示す模式図である。
【符号の説明】
【００６１】
１００    被写体結像用レンズ
１１０    ズームレンズ
１１１    ズームレンズ駆動モータ
１１２    ズームレンズ駆動装置
１１３    ズーム制御手段
１１４    ズームスイッチ
１２０    絞り機構
１２１    絞り機構駆動モータ
１２２    絞り機構駆動装置
１２３    絞り機構検出装置
１３０    ＣＣＤ
１３１    撮像素子駆動装置
１３２    露出制御手段
１３３    測光手段
１４０    ＣＤＳ
１５０    ＡＧＣ
１６０    Ａ／Ｄ変換器
１７０    ＤＳＰ
１８０，２１１    メモリ
１９０    表示文字ミックス手段
２００    モニタ
２１０ａ  従来例のマイクロコンピュータ
２１０ｂ  本発明のマイクロコンピュータ
２１２    ＮＤフィルタ
【図１】
2007033684.tif 000007
【図２】
2007033684.tif 000008
【図３】
2007033684.tif 000009
【図４】
2007033684.tif 000010
【図５】
2007033684.tif 000011
【図６】
2007033684.tif 000012
【図７】
2007033684.tif 000013
【図８】
2007033684.tif 000014
【図９】
2007033684.tif 000015
【図１０】
2007033684.tif 000016